(57)【要約】【課題】本発明は、良好なアンテナ利得を保ちつつ、従来と比して一段と広範囲に周波数調整を行い得るアンテナ装置を実現する。【解決手段】本発明は、ヘリカルアンテナ２１のボビン２２に互いにピッチの異なる広ピッチアンテナ巻回溝２７Ａと狭ピッチアンテナ巻回溝２７Ｂとが予め設けられていることにより、ヘリカルアンテナ２１の共振周波数と所望の共振周波数とが一致しない場合に、広ピッチアンテナ巻回溝２７Ａに嵌合された広ピッチアンテナ素子２３Ａの巻数を減らして、または、広ピッチアンテナ素子２３Ａの代わりに、狭ピッチアンテナ素子２３Ｂを狭ピッチアンテナ巻回溝２７Ｂに嵌合することにより巻数を増やして周波数調整を行うことができるようにした。【選択図】        図３
2004282646.tif 000002
【特許請求の範囲】
【請求項１】
導体を螺旋状に形成してなるヘリカルアンテナ素子と、
上記ヘリカルアンテナ素子を所定のピッチ及び巻数で巻回して固定するための第１のアンテナ巻回溝と、上記ヘリカルアンテナ素子を上記第１のアンテナ巻回溝よりも狭いピッチ及び多い巻数で巻回して固定するための第２のアンテナ巻回溝とを有するボビンと
を具えることを特徴とするアンテナ装置。
【請求項２】
上記第１のアンテナ巻回溝に上記ヘリカルアンテナ素子を巻回したときの共振周波数が所望の周波数よりも低い場合、上記ヘリカルアンテナ素子の巻数を減らして上記共振周波数の調整を行い、上記共振周波数が所望の周波数よりも高い場合、上記第１のアンテナ巻回溝に代えて、上記第２のアンテナ巻回溝に上記ヘリカルアンテナ素子を巻回することにより上記ヘリカルアンテナ素子の巻数を増やして上記共振周波数の調整を行う
ことを特徴とする請求項１に記載のアンテナ装置。
【請求項３】
上記第１のアンテナ巻回溝に対して上記ヘリカルアンテナ素子を巻回する場合と、上記第２のアンテナ巻回溝に対して上記ヘリカルアンテナ素子を巻回する場合とでそれぞれ異なる周波数帯で利用する
ことを特徴とする請求項１に記載のアンテナ装置。
【請求項４】
互いにピッチ及び巻数の異なる第１のアンテナ巻回溝及び第２のアンテナ巻回溝の双方に対して１つの上記ヘリカルアンテナ素子を巻回することにより、複共振アンテナとして動作する
ことを特徴とする請求項１に記載のアンテナ装置。
【発明の詳細な説明】
【０００１】
【発明の属する技術分野】
本発明は、アンテナ装置に関し、例えばヘリカルアンテナに適用して好適なものである。
【０００２】
【従来の技術】
従来、携帯電話機においては、携帯性向上のため携帯時にアンテナを筐体内部へ収納できるようにしたものがある。そしてこのような携帯電話機に用いられるアンテナとして、携帯時には携帯電話機の筐体内部へ収納し得、通話時には携帯電話機の筐体から引き出して使用する形式のアンテナが盛んに開発されている。
【０００３】
このようなアンテナを用いた携帯電話機の場合、通話時はもちろんのこと携帯時においても基地局から送信された信号を受信し得るようになされている。
【０００４】
例えば図１０及び図１１に示すように携帯電話機１は、アンテナ素子が直線状に形成された棒状のホイップアンテナ３が筐体２の上端に設けられると共に、当該ホイップアンテナ３の上端にアンテナ素子が螺旋状に形成されたヘリカルアンテナ４が設けられている。
【０００５】
そして携帯電話機１は、図１０に示すように通話時にホイップアンテナ３が矢印Ａ方向すなわち筐体２外部方向へ引き出されると、筐体２内部に設けられた給電回路（図示せず）からホイップアンテナ３へ給電するようになされており、これにより通話時に当該ホイップアンテナ３をアンテナとして動作させるようになされている。
【０００６】
また、このとき携帯電話機１は、ヘリカルアンテナ４には給電しないようになされており、当該ヘリカルアンテナ４はアンテナとして動作しない。
【０００７】
一方、携帯電話機１は、図１１に示すように携帯時にホイップアンテナ３が矢印Ｂ方向すなわち筐体２内部方向へ押し込まれると、当該ホイップアンテナ３の上端に設けられたヘリカルアンテナ４のみを筐体２の外部へ露出させた状態で当該ホイップアンテナ３を筐体２内部へ収納する。
【０００８】
このとき携帯電話機１は、筐体２内部に設けられた給電回路（図示せず）からヘリカルアンテナ４へ給電するようになされており、これにより携帯時に当該ヘリカルアンテナ４をアンテナとして動作させるようになされている。
【０００９】
またこのとき携帯電話機１は、ホイップアンテナ３には給電しないようになされており、当該ホイップアンテナ３はアンテナとして動作しない。
【００１０】
このように携帯電話機１は、携帯時において、携帯性を損ねることなく基地局から送信された信号を当該ヘリカルアンテナ４で受信し得るようになされている。
【００１１】
ところで、上述のような携帯電話機１に用いられるヘリカルアンテナ４は、例えば以下のような製造方法で製造される。（例えば、特許文献１参照）
【００１２】
図１２に示すように、まず円柱状のプラスチック部材の側面に螺旋状のアンテナ巻回溝５を設けることによりボビン６を形成し、一方で銅線でなるアンテナ素子７をアンテナ巻回溝５と同ピッチ、同巻数で螺旋状に形成する。続いてボビン６のアンテナ巻回溝５に対してアンテナ素子７を嵌合することによりアンテナ部８を形成する。
【００１３】
続いてアンテナ部８の下端にアンテナ素子７へ給電するための給電部９を取り付けた後、アンテナ部８の周囲にプラスチック樹脂をインサート成型することにより、当該アンテナ部８の外周を覆うアンテナカバー１０を形成し、かくしてヘリカルアンテナ４が完成する。
【００１４】
このようにして製造されるヘリカルアンテナ４の周波数特性は、アンテナ素子７の巻径、ピッチ及び巻数により左右される。従って当該ヘリカルアンテナ４においては、所望の共振周波数が得られるようにボビン６の直径、アンテナ巻回溝５のピッチ及び巻数等が調節されて設計されている。
【００１５】
しかしながらヘリカルアンテナ４は、所望の共振周波数が得られるように設計されてはいるものの、アンテナの成形材である誘電体の材料定数のばらつきに起因する共振周波数のある範囲でのばらつきの発生は避けられない。
【００１６】
このため、ヘリカルアンテナ４の試作段階において、当該ヘリカルアンテナ４の共振周波数が設計時に設定された所望の共振周波数と一致しない場合、当該ヘリカルアンテナ４の共振周波数を所望の共振周波数と一致するように調整（以下、これを周波数調整と呼ぶ）する必要がある。
【００１７】
かかる周波数調整は、アンテナ素子７の巻径、ピッチ及び巻数を調節することにより行うことができる。
【００１８】
しかしながらアンテナ素子７の巻径及びピッチは、アンテナ巻回溝５によって規定されるため、調節することはできない。従って実際上、周波数調整は、アンテナ素子７の巻数を調節することによりのみ行うことができる。
【００１９】
すなわち設計通りに試作されたヘリカルアンテナ４の共振周波数が所望の共振周波数と一致しなかった場合、当該ヘリカルアンテナ４の共振周波数が所望の共振周波数と一致するようにアンテナ素子７の巻数を調節して、ヘリカルアンテナ４を調整する。その結果、調整されたヘリカルアンテナ４の共振周波数と所望の共振周波数とが一致すれば、周波数調整がうまく行えたことになり、そのときのアンテナ素子７の巻数で、以後、ヘリカルアンテナ４を量産する。
【００２０】
【特許文献１】
特開２０００−３４１０２４公報（第３項、第１図）
【００２１】
【発明が解決しようとする課題】
ところで上述の製造方法で製造されるヘリカルアンテナ４においては、アンテナ素子７の巻数を増やすと、ボビン６からアンテナ素子７が突出してしまう。従ってアンテナ素子７の巻数を減らすことでしか周波数調整を行うことができず、周波数調整の範囲が狭いという問題があった。
【００２２】
また、このような問題を解決する方法として、予めボビン６を長めにしてアンテナ巻回溝５の巻数を余分に形成しておき、アンテナ素子７の巻数を減らして周波数調整を行うことができない場合は、アンテナ素子８の巻数を増やして周波数調整を行うことで、周波数調整の範囲を広くすることが考えられる。
【００２３】
しかしながら、この方法においては、アンテナ素子７の巻数を増やして周波数調整を行う場合以外は、ボビン６が予め長めに形成されていることにより、ボビン６全体をアンテナとして有効に利用し得ないという問題があった。
【００２４】
本発明は以上の点を考慮してなされたもので、良好なアンテナ利得を保ちつつ、従来と比して一段と広範囲に周波数調整を行い得るアンテナ装置を提案しようとするものである。
【００２５】
【課題を解決するための手段】
かかる課題を解決するために本発明においては、導体を螺旋状に形成してなるヘリカルアンテナ素子と、ヘリカルアンテナ素子を所定のピッチ及び巻数で巻回して固定するための第１のアンテナ巻回溝と、ヘリカルアンテナ素子を第１のアンテナ巻回溝よりも狭いピッチ及び多い巻数で巻回して固定するための第２のアンテナ巻回溝とを有するボビンとを設けるようにした。
【００２６】
これにより、予めボビンを長めに形成することなくボビン全体をアンテナとして有効に利用し、ヘリカルアンテナ素子の巻数を増減して周波数調整を行うことができるので、良好なアンテナ利得を保ちつつ、従来と比して一段と広範囲に周波数調整を行うことができる。
【００２７】
【発明の実施の形態】
以下図面について、本発明の一実施の形態を詳述する。
【００２８】
（１）本実施の形態によるヘリカルアンテナの構成
図１１との対応部分に同一符合を付して示す図１において、２０は全体として本発明のヘリカルアンテナ２１を用いた携帯電話機を示しており、図１では携帯時にホイップアンテナ３の上端に設けられたヘリカルアンテナ２１のみを筐体２の外部へ露出させて当該ホイップアンテナ３を筐体２内部へ収納した状態を表している。
【００２９】
ホイップアンテナ３を筐体２内部へ収納した状態において携帯電話機２０は、筐体２内部に設けられた給電回路（図示せず）からヘリカルアンテナ２１へ給電するようになされており、これにより当該ヘリカルアンテナ２１をアンテナとして動作させるようになされている。
【００３０】
図２に示すように、ヘリカルアンテナ２１においては、円柱状のプラスチック部材でなるボビン２２の側面に銅線でなるアンテナ素子２３を螺旋状に巻回することによりアンテナ部２４が形成されており、アンテナ部２４の下端に携帯電話機２０の給電回路（図示せず）からアンテナ素子２３へ給電するための給電部２５が設けられると共に、アンテナ部２４の外周には、当該アンテナ部２４を覆う形状のプラスチック樹脂でなるアンテナカバー２６が設けられている。
【００３１】
さらに、ヘリカルアンテナ２１のボビン２２は、図３に示すように、その側面に右巻き螺旋状のアンテナ巻回溝２７Ａ及び左巻き螺旋状のアンテナ巻回溝２７Ｂが形成されており、アンテナ巻回溝２７Ａは、アンテナ巻回溝２７Ｂと比べてピッチが広くなるように形成されている。以後、ピッチの広いアンテナ巻回溝２７Ａを広ピッチアンテナ巻回溝２７Ａ、広ピッチアンテナ巻回溝２７Ａのピッチを広ピッチと呼び、また、ピッチの狭いアンテナ巻回溝２７Ｂを狭ピッチアンテナ巻回溝２７Ｂ、狭ピッチアンテナ巻回溝２７Ｂのピッチを狭ピッチと呼ぶことにする。
【００３２】
そしてこのヘリカルアンテナ２１においては、アンテナ素子２３を広ピッチアンテナ巻回溝２７Ａまたは狭ピッチアンテナ巻回溝２７Ｂのいずれか一方に巻回するようになされている。
【００３３】
（２）ヘリカルアンテナの製造方法
このようなヘリカルアンテナ２１は、以下のような製造方法で製造される。すなわち図４に示すように、広ピッチアンテナ巻回溝２７Ａと同ピッチ、同巻数で右巻き螺旋状の広ピッチアンテナ素子２３Ａ（アンテナ素子２３に相当する）を形成する。
【００３４】
次に、ボビン２２の広ピッチアンテナ巻回溝２７Ａに対して、広ピッチアンテナ巻回溝２７Ａと同ピッチ、同巻数の広ピッチアンテナ素子２３Ａを嵌合することによりアンテナ部２４を形成する。
【００３５】
続いてアンテナ部２４の下端に広ピッチアンテナ素子２３Ａへ携帯電話機２０の給電回路（図示せず）から給電するための給電部２５を取り付けた後、プラスチック樹脂でインサート成形することによりアンテナ部２４の外周を覆うアンテナカバー２６を形成し、かくしてヘリカルアンテナ２１が完成する。
【００３６】
このようにして試作されたヘリカルアンテナ２１は、所望の共振周波数が得られるように設計されている。そして設計時に設定された所望の共振周波数を表す曲線は、例えば図５（Ａ）及び（Ｂ）に示すように、利用する周波数帯の中心周波数ｆ０でＶＳＷＲ（Ｖｏｌｔａｇｅ  Ｓｔａｎｄｉｎｇ  Ｗａｖｅ  Ｒａｔｉｏ）が最小値となるような特性曲線Ｗ０になる。
【００３７】
しかしながらヘリカルアンテナ２１は、所望の共振周波数が得られるように設計されてはいるものの、従来と同様に、例えばアンテナの成形材である誘電体の材料定数のばらつき等により、所望の共振周波数が得られない場合がある。
【００３８】
例えば、図５（Ａ）及び（Ｂ）に示すように、実際のヘリカルアンテナ２１の共振周波数を表す曲線が、中心周波数ｆ０とは異なる中心周波数ｆ１でＶＳＷＲが最小値となるような特性曲線Ｗ１であったとすると、当該ヘリカルアンテナ２１の共振周波数は、所望の共振周波数と一致しないことになる。
【００３９】
このように当該ヘリカルアンテナ２１の共振周波数が所望の共振周波数と一致しない場合には、当該ヘリカルアンテナ２１の共振周波数を所望の共振周波数と一致するように周波数調整を行う必要がある。尚、当該ヘリカルアンテナ２１の共振周波数が所望の共振周波数と一致している場合（中心周波数ｆ０＝中心周波数ｆ１）は、周波数調整を行う必要はない。
【００４０】
かかる周波数調整は、アンテナ素子２３の巻数を調節することにより行う。そしてヘリカルアンテナ２１は、巻数を減らすと、特性曲線Ｗ１をより高い周波数帯へ調整することができ、これに対して巻数を増やすと、特性曲線Ｗ１をより低い周波数帯へ調整することができる。
【００４１】
従って図５（Ａ）に示すように、ヘリカルアンテナ２１の特性曲線Ｗ１の中心周波数ｆ１が所望の特性曲線Ｗ０の中心周波数ｆ０よりも低かった場合は、広ピッチアンテナ素子２３Ａの巻数を減らすことにより、周波数調整を行う。
【００４２】
そして巻数を減らした広ピッチアンテナ素子２３Ａを広ピッチアンテナ巻回溝２７Ａに対して嵌合して、ヘリカルアンテナ２１を調整する。その結果調整されたヘリカルアンテナ２１の特性曲線Ｗ１と所望の特性曲線Ｗ０が一致すれば、周波数調整がうまく行えたことになり、そのときの広ピッチアンテナ素子２３Ａの巻数で、以後、ヘリカルアンテナ２１を量産する。
【００４３】
これに対して、図５（Ｂ）に示すように、ヘリカルアンテナ２１の特性曲線Ｗ１の中心周波数ｆ１が所望の特性曲線Ｗ０の中心周波数ｆ０よりも高かった場合は、巻数を増やして周波数調整を行うことになる。
【００４４】
この場合図６に示すように、広ピッチアンテナ素子２３Ａに代えて、狭ピッチアンテナ巻回溝２７Ｂと同ピッチ、同巻数で右巻きの狭ピッチアンテナ素子２３Ｂを形成する。
【００４５】
そして広ピッチアンテナ巻回溝２７Ａに広ピッチアンテナ素子２３Ａを嵌合する代わりに、狭ピッチアンテナ巻回溝２７Ｂに狭ピッチアンテナ素子２３Ｂを嵌合することによりアンテナ部２４を形成し、再度ヘリカルアンテナ２１を調整する。
【００４６】
このように調整されたヘリカルアンテナ２１は、狭ピッチアンテナ巻回溝２７Ｂに対して狭ピッチアンテナ素子２３Ｂが嵌合されていることから、広ピッチアンテナ巻回溝２７Ａに対して広ピッチアンテナ素子２３Ａが嵌合されたときよりも巻数が増える。これによりヘリカルアンテナ２１の共振周波数を表す曲線は、例えば図７に示すように、中心周波数ｆ２（＜中心周波数ｆ１）でＶＳＷＲが最小値となるような特性曲線Ｗ２となる。すなわち巻数を増やすことにより特性曲線Ｗ１をより低い周波数帯へ調整して、その結果、特性曲線Ｗ２が得られたことになる。
【００４７】
このときヘリカルアンテナ２１の特性曲線Ｗ２の中心周波数ｆ２が所望の特性曲線Ｗ０の中心周波数ｆ０よりも低かった場合は、狭ピッチアンテナ素子２３Ｂの巻数を減らすことにより、再度、周波数調整を行う。尚、当該ヘリカルアンテナ２１の特性曲線Ｗ２が所望の特性曲線Ｗ０と一致した場合（中心周波数ｆ２＝中心周波数ｆ０）は、周波数調整を行う必要はない。
【００４８】
そして巻数を減らした狭ピッチアンテナ素子２３Ｂを狭ピッチアンテナ巻回溝２７Ｂに対して嵌合して、再度ヘリカルアンテナ２１を調整する。
【００４９】
このとき特性曲線Ｗ２と特性曲線Ｗ０とが一致すれば、ヘリカルアンテナ２１の共振周波数と所望の共振周波数とが一致したことになり、周波数調整がうまく行えたことになる。そして、そのときの狭ピッチアンテナ素子２３Ｂの巻数で、以後、ヘリカルアンテナ２１を製造する。
【００５０】
このようにヘリカルアンテナ２１は、ボビン２２に互いにピッチの異なる広ピッチアンテナ巻回溝２７Ａと狭ピッチアンテナ巻回溝２７Ｂとが予め設けられていることにより、当該ヘリカルアンテナ２１の共振周波数を表す特性曲線Ｗ１が所望の共振周波数を表す特性曲線Ｗ０よりも低い周波数帯であった場合は、広ピッチアンテナ巻回溝２７Ａに嵌合された広ピッチアンテナ素子２３Ａの巻数を減らすことにより周波数調整を行うことができる。
【００５１】
これに対してヘリカルアンテナ２１の特性曲線Ｗ１が所望の特性曲線Ｗ０よりも高い周波数帯であった場合は、広ピッチアンテナ素子２３Ａの代わりに、狭ピッチアンテナ素子２３Ｂを狭ピッチアンテナ巻回溝２７Ｂに嵌合することにより、巻数を増やして周波数調整を行うことができる。
【００５２】
（３）動作及び効果
以上の構成においてヘリカルアンテナ２１は、ボビン２２に互いにピッチの異なる広ピッチアンテナ巻回溝２７Ａと狭ピッチアンテナ巻回溝２７Ｂとが予め設けられている。そして、まず広ピッチアンテナ巻回溝２７Ａに対して広ピッチアンテナ素子２３Ａを嵌合してヘリカルアンテナ２１を試作する。ヘリカルアンテナ２１試作後、当該ヘリカルアンテナ２１の共振周波数が所望の共振周波数と一致しない場合には、当該ヘリカルアンテナ２１の共振周波数が所望の共振周波数と一致するように周波数調整を行う。
【００５３】
このとき、ヘリカルアンテナ２１の共振周波数を表す特性曲線Ｗ１が所望の共振周波数を表す特性曲線Ｗ０よりも低い周波数帯であった場合は、広ピッチアンテナ巻回溝２７Ａに嵌合された広ピッチアンテナ素子２３Ａの巻数を減らすことにより周波数調整を行う。
【００５４】
そして、ヘリカルアンテナ２１の共振周波数が所望の共振周波数と一致したときの広ピッチアンテナ素子２３Ａの巻数で、当該ヘリカルアンテナ２１を量産する。
【００５５】
これに対してヘリカルアンテナ２１の特性曲線Ｗ１が所望の特性曲線Ｗ０よりも高い周波数帯であった場合は、広ピッチアンテナ素子２３Ａの代わりに、狭ピッチアンテナ素子２３Ｂを狭ピッチアンテナ巻回溝２７Ｂに嵌合することにより、巻数を増やして周波数調整を行う。
【００５６】
そして、ヘリカルアンテナ２１の共振周波数が所望の共振周波数と一致したときの狭ピッチアンテナ素子２３Ｂの巻数で、当該ヘリカルアンテナ２１を量産する。
【００５７】
以上の構成によれば、ヘリカルアンテナ２１は、ボビン２２に互いにピッチの異なる広ピッチアンテナ巻回溝２７Ａと狭ピッチアンテナ巻回溝２７Ｂとが予め設けられていることにより、ヘリカルアンテナ２１の共振周波数と所望の共振周波数とが一致しない場合に、広ピッチアンテナ巻回溝２７Ａに嵌合された広ピッチアンテナ素子２３Ａの巻数を減らして、または、広ピッチアンテナ素子２３Ａの代わりに、狭ピッチアンテナ素子２３Ｂを狭ピッチアンテナ巻回溝２７Ｂに嵌合することにより巻数を増やして周波数調整を行うことができる。
【００５８】
これにより、予めボビン２２を長めに形成することなくボビン全体をアンテナとして有効に利用し、巻数を増減して、周波数調整を行うことができるので、良好なアンテナ利得を保ちつつ、従来と比して一段と広範囲に周波数調整を行うことができる。
【００５９】
（４）他の実施の形態
なお上述の実施の形態においては、互いにピッチの異なる第１のアンテナ巻回溝としての広ピッチアンテナ巻回溝２７Ａ及び第２のアンテナ巻回溝としての狭ピッチアンテナ巻回溝２７Ｂのどちらか一方に対してアンテナ素子を巻回してヘリカルアンテナ２１を製造する場合について述べたが、本発明はこれに限らず、例えば、１５００ＭＨｚ帯で利用するヘリカルアンテナを製造する際には、広ピッチアンテナ巻回溝２７Ａにヘリカルアンテナ素子として広ピッチアンテナ素子２３Ａを嵌合し、８００ＭＨｚ帯で利用するヘリカルアンテナを製造する際には、狭ピッチアンテナ巻回溝２７Ｂにヘリカルアンテナ素子として狭ピッチアンテナ素子２３Ｂを嵌合することにより、１５００ＭＨｚ帯で利用されるヘリカルアンテナと８００ＭＨｚ帯で利用されるヘリカルアンテナとでボビン２２を共有するようにしてもよい。
【００６０】
また上述の実施の形態においては、広ピッチアンテナ巻回溝２７Ａに対して広ピッチアンテナ素子２３Ａを嵌合した場合、または狭ピッチアンテナ巻回溝２７Ｂに対して狭ピッチアンテナ素子２３Ｂを嵌合した場合のどちらかでヘリカルアンテナ２１を製造するようにした場合について述べたが、本発明はこれに限らず、例えば図８に示すように、広ピッチ部ＷＰと狭ピッチ部ＮＰでなる広ピッチ狭ピッチ両用アンテナ素子３０を形成し、当該広ピッチ狭ピッチ両用アンテナ素子３０をボビン２２の広ピッチアンテナ巻回溝２７Ａの上部と、狭ピッチアンテナ巻回溝２７Ｂの下部にそれぞれ嵌合することにより、例えば８００ＭＨｚ帯と１５００ＭＨｚ帯の両方で利用可能な複共振ヘリカルアンテナ３１を製造するようにしてもよい。
【００６１】
この場合、複共振ヘリカルアンテナ３１の共振周波数を表す曲線は、例えば図９に示すように、周波数８００ＭＨｚ及び１５００ＭＨｚでＶＳＷＲが最小値となるような特性曲線Ｗ３になる。
【００６２】
さらに上述の実施の形態においては、広ピッチアンテナ巻回溝２７Ａをボビン２２の側面に右巻き螺旋状で形成し、狭ピッチアンテナ巻回溝２７Ｂをボビン２２の側面に左巻き螺旋状で形成した場合についてのべたが、本発明はこれに限らず、例えば広ピッチアンテナ巻回溝２７Ａと狭ピッチアンテナ巻回溝２７Ｂとの両方をボビン２２の側面に右巻き螺旋状で形成する場合等、ボビン２２に互いに異なるピッチの広ピッチアンテナ巻回溝２７Ａ及び狭ピッチアンテナ巻回溝２７Ｂが形成されていれば、それらの巻き方向は問わない。
【００６３】
さらに上述の実施の形態においては、プラスチック部材でなるボビン２２の広ピッチアンテナ巻回溝２７Ａに対して広ピッチアンテナ素子２３Ａが嵌合され、または狭ピッチアンテナ巻回溝２７Ｂに対して狭ピッチアンテナ素子２３Ｂが嵌合されて形成されるアンテナ部２４、給電部２５及びアンテナカバー２６によってヘリカルアンテナ２１を構成するようにした場合について述べたが、本発明はこれに限らず、ボビンの溝に対してアンテナ素子が嵌合されて形成されるヘリカルアンテナであれば、他の種々の構成によりヘリカルアンテナを構成するようにしてもよい。
【００６４】
【発明の効果】
上述のように本発明によれば、導体を螺旋状に形成してなるヘリカルアンテナ素子と、ヘリカルアンテナ素子を所定のピッチ及び巻数で巻回して固定するための第１のアンテナ巻回溝と、ヘリカルアンテナ素子を第１のアンテナ巻回溝よりも狭いピッチ及び多い巻数で巻回して固定するための第２のアンテナ巻回溝とを有するボビンとを設けるようにした。
【００６５】
これにより、予めボビンを長めに形成することなくボビン全体をアンテナとして有効に利用し、ヘリカルアンテナ素子の巻数を増減して周波数調整を行うことができるので、良好なアンテナ利得を保ちつつ、従来と比して一段と広範囲に周波数調整を行うことができ、かくして良好なアンテナ利得を保ちつつ、従来と比して一段と広範囲に周波数調整を行い得るアンテナ装置を実現できる。
【図面の簡単な説明】
【図１】本発明のヘリカルアンテナを用いた携帯電話機の外観構成を示す略線図である。
【図２】ヘリカルアンテナの構成を示す略線図である。
【図３】ボビンの構成を示す略線図である。
【図４】ヘリカルアンテナの製造方法（広ピッチ）を示す略線図である。
【図５】ヘリカルアンテナの共振周波数（広ピッチ）を示す略線図である。
【図６】ヘリカルアンテナの製造方法（狭ピッチ）を示す略線図である。
【図７】ヘリカルアンテナの共振周波数（狭ピッチ）を示す略線図である。
【図８】複共振ヘリカルアンテナの製造方法を示す略線図である。
【図９】複共振ヘリカルアンテナの共振周波数を示す略線図である。
【図１０】従来のヘリカルアンテナを用いた携帯電話機の外観構成（通話時）を示す略線図である。
【図１１】従来のヘリカルアンテナを用いた携帯電話機の外観構成（携帯時）を示す略線図である。
【図１２】従来のヘリカルアンテナの製造方法を示す略線図である。
【符号の説明】
１……携帯電話機、２……筐体、３……ホイップアンテナ、４、２１……ヘリカルアンテナ、５……アンテナ巻回溝、６、２２……ボビン、７……アンテナ素子、８、２４……アンテナ部、９、２５……給電部、１０、２６……アンテナカバー、２３Ａ……広ピッチアンテナ素子、２３Ｂ……狭ピッチアンテナ素子、２７Ａ……広ピッチアンテナ巻回溝、２８Ｂ……狭ピッチアンテナ巻回溝、３０……広ピッチ狭ピッチ両用アンテナ素子、３１……複共振ヘリカルアンテナ。
【図１】
2004282646.tif 000003
【図２】
2004282646.tif 000004
【図３】
2004282646.tif 000005
【図４】
2004282646.tif 000006
【図５】
2004282646.tif 000007
【図６】
2004282646.tif 000008
【図７】
2004282646.tif 000009
【図８】
2004282646.tif 000010
【図９】
2004282646.tif 000011
【図１０】
2004282646.tif 000012
【図１１】
2004282646.tif 000013
【図１２】
2004282646.tif 000014